(57)【特許請求の範囲】
【請求項１】
内部にインペラを回転自在に配置したステータの側壁にフィルタを備えた取水口を設けたウォータジェット推進機において、
前記ステータの側壁に取水口を形成する円筒状のフィルタ収納室を設けるとともに、このフィルタ収納室に円筒状のフィルタを収納してフィルタ収納室の開口を円形に成形し、円形の蓋自体の外周に設けた雄ネジと前記フィルタ収納室の上部内周面に設けた雌ネジとの螺合によるネジ止めで前記フィルタ収納室の開口を閉じ，
前記フィルタ収納室の周壁に対して流路を一体的に形成するとともに、前記円筒状フィルタの底部をこの円筒状フィルタの軸線方向に対して傾斜した傾斜面で構成し、かつ前記フィルタ収納室には円筒状フィルタの前記傾斜面の縁部と当接してこれを受ける傾斜状段部を形成し、さらに上記円筒状フィルタには、その傾斜面縁部と上記傾斜状段部とを合致させるように当接させたときに前記流路と連通する開口を形成したことを特徴とするウォータジェット推進機。
【請求項２】
内部にインペラを回転自在に配置したステータの側壁にフィルタを備えた取水口を設けたウォータジェット推進機において、
前記ステータの側壁に取水口を形成する円筒状のフィルタ収納室を設けるとともに、このフィルタ収納室に円筒状のフィルタを収納してフィルタ収納室の開口を円形に成形し、円形の蓋自体の外周に設けた雄ネジと前記フィルタ収納室の上部内周面に設けた雌ネジとの螺合によるネジ止めで前記フィルタ収納室の開口を閉じ，
前記フィルタ収納室の周壁に対して流路を一体的に形成するとともに、前記フィルタ収納室の内周面および円筒状フィルタの外周面を部分的に平面状に形成し、かつ円筒状フィルタには、その平面部と上記フィルタ収納室の平面部とを合致させたときに前記流路と連通する開口を形成したことを特徴とするウォータジェット推進機。
【発明の詳細な説明】
【０００１】
【発明の属する技術分野】
本発明は船舶に用いられるウォータジェット推進機に関する。特に、その取水口の構造に関するものである。
【０００２】
【従来の技術】
従来のウォータージェット推進機として特開平１０−１１９８８３号公報記載のものが知られている。
図６はそのウォータージェット推進機を示す図で、（ａ）は断面図、（ｂ）は図（ａ）におけるｂ−ｂ拡大断面図、（ｃ）は図（ａ）におけるｃ−ｃ断面図である。
このウォータジェット推進機は船体１の後部に装着されるものであり、内部にインペラ２を回転自在に配置したステータ３の側壁にフィルタ４を備えた取水口５が設けられている。
インペラ２はドライブシャフト６に連結されており、このドライブシャフト６の前部が図示しないエンジンの出力軸に連結されている。したがって、エンジンの駆動でインペラ２が回転駆動されると、水流がステータ３のノズル３ａから噴出されて船体１が推進される。
取水口５は、図（ｂ）に示すように略矩形に開口され、この開口に略矩形のフィルタ４が装着され、同じく略矩形の蓋部材７で上記開口が覆われている。
蓋部材７には上記取水口５に連通するパイプ部７ａが一体的に設けられており、このパイプ部７ａに接続パイプ８を介して可撓性のホース９が接続され、このホース９の図示しない端部が上記エンジンに接続されている。
したがって、インペラ２が回転駆動されると、その下流側の水流の一部が取水口５からフィルタ４を介し、さらに蓋部材７のパイプ部７ａ、接続パイプ８、および可撓性のホース９を介してエンジンに供給され、エンジン冷却水として使用される。
図（ｂ）および図（ｃ）に示すように、フィルタ４にはフランジ４ｂが設けられているとともに、蓋部材７にもフランジ７ｂが設けられていて、これらフランジ４ｂ、７ｂを重ね合わせた状態で、４本のボルト７ｃで共締めすることによって、フィルタ４および蓋部材７がステータ３の側部に対して着脱可能に取り付けられている。
【０００３】
【発明が解決しようとする課題】
上述した従来のウォータジェット推進機では、その取水口５のフィルタ４と蓋部材７とが略矩形に構成されていて、そのフランジ４ｂ、７ｂ同士を重ね合わせて４本のボルト７ｃで共締めすることでステータ３に対して取り付けられる構成となっていたので、その取付作業が大変であるという課題があった。
【０００４】
この発明の目的は、以上のような課題を解決し、フィルタおよび蓋の取付作業が簡単なウォータジェット推進機を提供することにある。
【０００５】
【課題を解決するための手段】
上記目的を達成するために請求項１記載のウォータジェット推進機は、内部にインペラを回転自在に配置したステータの側壁にフィルタを備えた取水口を設けたウォータジェット推進機において、
前記ステータの側壁に取水口を形成する円筒状のフィルタ収納室を設けるとともに、このフィルタ収納室に円筒状のフィルタを収納してフィルタ収納室の開口を円形に成形し、円形の蓋自体の外周に設けた雄ネジと前記フィルタ収納室の上部内周面に設けた雌ネジとの螺合によるネジ止めで前記フィルタ収納室の開口を閉じ，
前記フィルタ収納室の周壁に対して流路を一体的に形成するとともに、前記円筒状フィルタの底部をこの円筒状フィルタの軸線方向に対して傾斜した傾斜面で構成し、かつ前記フィルタ収納室には円筒状フィルタの前記傾斜面の縁部と当接してこれを受ける傾斜状段部を形成し、さらに上記円筒状フィルタには、その傾斜面縁部と上記傾斜状段部とを合致させるように当接させたときに前記流路と連通する開口を形成したことを特徴とする。
請求項２記載のウォータジェット推進機は、内部にインペラを回転自在に配置したステータの側壁にフィルタを備えた取水口を設けたウォータジェット推進機において、
前記ステータの側壁に取水口を形成する円筒状のフィルタ収納室を設けるとともに、このフィルタ収納室に円筒状のフィルタを収納してフィルタ収納室の開口を円形に成形し、円形の蓋自体の外周に設けた雄ネジと前記フィルタ収納室の上部内周面に設けた雌ネジとの螺合によるネジ止めで前記フィルタ収納室の開口を閉じ，
前記フィルタ収納室の周壁に対して流路を一体的に形成するとともに、前記フィルタ収納室の内周面および円筒状フィルタの外周面を部分的に平面状に形成し、かつ円筒状フィルタには、その平面部と上記フィルタ収納室の平面部とを合致させたときに前記流路と連通する開口を形成したことを特徴とする。
【０００６】
【作用効果】
請求項１記載のウォータジェット推進機は、内部にインペラを回転自在に配置したステータの側壁にフィルタを備えた取水口を設けたウォータジェット推進機において、前記ステータの側壁に取水口を形成する円筒状のフィルタ収納室を設けるとともに、このフィルタ収納室に円筒状のフィルタを収納してフィルタ収納室の開口を円形に成形し、円形の蓋自体の外周に設けた雄ネジと前記フィルタ収納室の上部内周面に設けた雌ネジとの螺合によるネジ止めで前記フィルタ収納室の開口を閉じた構成としてあるので、このウォータジェット推進機によれば、円筒状のフィルタ収納室に円筒状のフィルタを収納してフィルタ収納室の開口を円形の蓋でネジ止めにより閉じるだけでフィルタおよび蓋をステータの側壁に取り付けることができる。
すなわち、この請求項１記載のウォータジェット推進機によれば、フィルタおよび蓋の取付作業が従来に比べて著しく簡単になる。
さらに，請求項１記載のウォータジェット推進機によれば、前記フィルタ収納室の周壁に対して流路が一体的に形成されているとともに、前記円筒状フィルタの底部がこの円筒状フィルタの軸線方向に対して傾斜した傾斜面で構成され、かつ前記フィルタ収納室には円筒状フィルタの前記傾斜面の縁部と当接してこれを受ける傾斜状段部が形成され、さらに上記円筒状フィルタには、その傾斜面縁部と上記傾斜状段部とを合致させるように当接させたときに前記流路と連通する開口が形成されているので、さらに次のような作用効果が得られる。
すなわち、前述した従来のウォータジェット推進機では、フィルタ収納室からの流路が、蓋部材７と一体のパイプ部７ａで形成されていたので、この蓋部材７の取付方向を前後逆に取り付けると流路７ａの方向も前後逆になってしまう難点があった。このため、蓋部材７の取付に神経を使う必要があり、その取付作業が一層大変であった。
これに対し、この請求項１記載のウォータジェット推進機によれば、フィルタ収納室の周壁に対して流路が一体的に形成されているので、従来技術のような問題が生じない。
そして、円筒状フィルタの底部がこの円筒状フィルタの軸線方向に対して傾斜した傾斜面で構成され、かつ前記フィルタ収納室には円筒状フィルタの前記傾斜面の縁部と当接してこれを受ける傾斜状段部が形成され、さらに上記円筒状フィルタには、その傾斜面縁部と上記傾斜状段部とを合致させるように当接させたときに前記流路と連通する開口が形成されているので、円筒状フィルタをフィルタ収納室に入れ、円筒状フィルタの傾斜面の縁部をフィルタ収納室の傾斜状段部に当接（フィット）させると、自動的に、フィルタ収納室の流路とフィルタの開口とが連通することとなる。
したがって、フィルタおよび蓋の取付作業が一層簡単になる。
また，請求項２記載のウォータジェット推進機によれば、前記フィルタ収納室の周壁に対して流路が一体的に形成されているとともに、前記フィルタ収納室の内周面および円筒状フィルタの外周面が部分的に平面状に形成され、かつ円筒状フィルタには、その平面部と上記フィルタ収納室の平面部とを合致させたときに前記流路と連通する開口が形成されているので、さらに次のような作用効果が得られる。
すなわち、前述したように従来のウォータジェット推進機では、フィルタ収納室からの流路が、蓋部材７と一体のパイプ部７ａで形成されていたので、この蓋部材７の取付方向を前後逆に取り付けると流路７ａの方向も前後逆になってしまう難点があった。このため、蓋部材７の取付に神経を使う必要があり、その取付作業が一層大変であった。
これに対し、この請求項２記載のウォータジェット推進機によれば、フィルタ収納室の周壁に対して流路が一体的に形成されているので、従来技術のような問題が生じない。
そして、前記フィルタ収納室の内周面および円筒状フィルタの外周面が部分的に平面状に形成され、かつ円筒状フィルタには、その平面部と上記フィルタ収納室の平面部とを合致させたときに前記流路と連通する開口が形成されているので、上記両平面部を合致させるように円筒状フィルタをフィルタ収納室に入れると、自動的に、フィルタ収納室の流路とフィルタの開口とが連通することとなる。
したがって、フィルタおよび蓋の取付作業が一層簡単になる。
【０００７】
【発明の実施の形態】
以下、本発明の実施の形態について図面を参照して説明する。
図１は本発明に係るウォータジェット推進機の一実施の形態を用いた小型滑走艇の一例を示す一部切り欠き概略側面図、図２は同じく概略平面図である。
【０００８】
これらの図（主として図１）に示すように、この小型滑走艇１０は、鞍乗り型小型船舶であり、船体１１上のシート１２に乗員が座り、スロットルレバー付きの操舵ハンドル１３を握って操行可能である。
船体１１は、ハル１４とデッキ１５とを接合して内部に空間１６を形成した浮体構造となっている。空間１６内において、ハル１４上には、エンジン２０が搭載され、このエンジン２０で駆動される推進手段としてのウォータジェット推進機（以下ジェットポンプともいう）３０がハル１４の後部に設けられている。
【０００９】
ジェットポンプ３０は、船底に開口した水入り口１７から船体後端に開口した噴流口３１ｃ２およびディフレクタ３８に至る流路１８内に配置されたインペラ３２を有しており、インペラ３２の駆動用のシャフト（ドライブシャフト）２２がエンジン２０の出力軸２１にカプラ２３を介して連結されている。したがって、エンジン２０によりカプラ２３およびシャフト２２を介してインペラ３２が回転駆動されると、水入り口１７から取り入れられた水が噴流口３１ｃ２からディフレクタ３８を経て噴出され、これによって船体１１が推進される。エンジン２０の駆動回転数、すなわちジェットポンプ３０による推進力は、前記操作ハンドル１３のスロットルレバー１３ａ（図２参照）の回動操作によって操作される。ディフレクタ３８は、図示しない操作ワイヤーで操作ハンドル１３と連係されていて、ハンドル１３の操作で回動操作され、これによって船体１１の進路を変更することができる。
【００１０】
図３はジェットポンプ３０を示す図で、（ａ）は部分側断面図、（ｂ）は図（ａ）におけるｂ−ｂ断面図である。図４はジェットポンプ３０のステータ３１を示す図で、（ａ）は正面図（船体前方から見た図）、（ｂ）は側面図、（ｃ）は図（ｂ）の平面図、（ｄ）は図（ｃ）におけるｄ−ｄ断面図である。図５はフィルタを示す図で、（ａ）は側面図（船体側方から見た図）、（ｂ）は図（ａ）の平面図、（ｃ）は図（ａ）の側面図、（ｄ）は図（ａ）におけるｄ−ｄ断面図である。
図３に示すように、ジェットポンプ３０は、船体１１の底部に設けられた水入り口１７（図１参照）に連通する流路１８を形成するステータ（ダクト）３１と、このステータ３１内に配置されたインペラ３２と、ステータ３１内に設けられたインペラの軸受け部３３と、この軸受け部３３の後端を塞ぐキャップ３４とを備えている。
ジェットポンプ３０は、ステータ３１の前部に形成されたフランジ部３１ｄ（図４参照）をハル１４に図示しないボルトで固定することによりハル１４に対して着脱可能に装着されている。
【００１１】
ステータ３１は、内部にインペラ３２が配置されるインペラ収容部３１ａと、軸受け収容部３１ｂと、ノズル部３１ｃ（図１参照）とを有しており、インペラ収容部３１ａと軸受け収容部３１ｂとは一体に形成されている。軸受け収容部３１ｂ内に静翼３１ｂ１を介して前記軸受け部３３が一体的に形成されている。
【００１２】
インペラ３２は、そのボス部３２ａの前部が、ドライブシャフト２２の後端に形成されたスプライン２２ｂに係合しており、ドライブシャフト２２と一緒に回転する。このドライブシャフト２２は、その先端部が前述したように船体１１に搭載されたエンジン２０の出力軸２１にカプラ２３（図１）を介して連結されている。
一方、軸受け部３３には、インペラ３２のボス部３２ａの後部３２ｂを支持するインペラシャフト３５がボールベアリング３３ａ、３３ｂを介して回転可能に支持されている。インペラシャフト３５の先端には雄ネジ３５ａが形成されており、この雄ネジ３５ａがインペラ３２のボス部後部３２ｂに形成されている雌ネジと螺合していることによって、インペラ３２とインペラシャフト３５とが結合されている。
したがって、インペラ３２は、そのボス部３２ａの前部がシャフト２２に結合され、ボス部の後部３２ｂがインペラシャフト３５に結合されていて、これらシャフト２２およびインペラシャフト３５と一緒に回転する。
【００１３】
キャップ３４の前部には、前記軸受け部３３の後部への挿入部（筒状部）３４ｂが形成されているとともに、ネジ３６（図３参照）の挿入穴３４ｃが３つ（１つのみ図示）形成されている。筒状の挿入部３４ｂには、Ｏリング３４ｅの装着溝が形成されている。
したがって、キャップ３４は、挿入部３４ｂにＯリング３４ｅを装着してこの挿入部３４ｂを図３に示すように軸受け部３３の後部へ挿入（圧入）し、ネジ３６によって軸受け部３３の後部に装着される。
キャップ３４の軸受け部３３との当接面には、部分的な切り欠き３４ｄが形成されており、メンテナンス時には、上記ネジ３６を外し、この切り欠き３４ｄに工具（例えばドライバ）の先を差し込んでキャップ３４を容易に取り外すことができるようになっている。
【００１４】
図３および図４に示すように、ステータ３１の側壁３１ｅには、インペラ３２よりも下流側の部位において取水口３１ｆを形成する筒状（この実施の形態では円筒状）のフィルタ収納室３１ｇが一体的に形成されている。このフィルタ収納室３１ｇには、図３（ｂ）に示すように、筒状（この実施の形態では円筒状）のフィルタ４０が収納されている。フィルタ収納室３１ｇの開口３１ｈは、円形の蓋５０でネジ止めされて閉じている。なお、開口３１ｈは、これに蓋５０を圧入することにより閉じてもよい。
【００１５】
図４に示すように、フィルタ収納室３１ｇの周壁３１ｉには、取水口３１ｆからの流入する水の流路３１ｊが一体的に形成されている。この流路３１ｊの端部３１ｋには、図示しないジョイントパイプを介して冷却水ホースが接続され、この冷却水ホースを介してエンジン２０に冷却水が供給される。
【００１６】
図５に示すように、フィルタ４０は、円筒部４１と、これと一体の底部４２とを有しており、底部４２に多数の孔４３が開けられている。孔４３の径は３ｍｍ程度にする。
また、円筒部４１には、これをＵ字形に切り欠いた形状の開口４４が形成されている。
【００１７】
図４（ｂ）に示すように、フィルタ収納室３１ｇの内周面は部分的に平面状に形成されており（平面部を符号３１ｍで示す）、図５（ａ）（ｃ）に示すように、筒状フィルタ４０の外周面も部分的に平面状に形成されている（平面部を符号４５で示す）。
したがって、フィルタ４０をフィルタ収納室３１ｇに挿入する際には、これら平面部３１ｍと４５とを合わせるようにして挿入しないと、挿入できないようになっており、平面部３１ｍと４５とを合わせるようにして挿入すると、フィルタ４０の開口４４がフィルタ収納室３１ｇの流路３１ｊと対向してこれらが連通されるようになっている（図３（ｂ）参照）。
【００１８】
またこの実施の形態では、図５に示すように筒状フィルタ４０の底部４２がこの筒状フィルタ４０の軸線方向（図５（ｃ）（ｄ）において左右方向）に対して傾斜した傾斜面４６で構成されているとともに、図３（ｂ）および図４（ｄ）に示すようにフィルタ収納室３１ｇには筒状フィルタ４０の傾斜面４６の縁部４７と当接してこれを受ける傾斜状段部３１ｎが形成されている。
したがって、フィルタ４０をフィルタ収納室３１ｇに入れる際には、フィルタ底部４２の傾斜面４６とフィルタ収納室３１ｇの傾斜状段部３１ｎとを合致させるように入れないと、フィルタ４０の頭部４８がフィルタ収納室３１ｇから突出するような状態となってフィルタ４０をフィルタ収納室３１ｇに対して完全には収納できず、蓋５０を装着できないようになっており、フィルタ底部４２の傾斜面４６とフィルタ収納室３１ｇの傾斜状段部３１ｎとを合致させるように入れると、フィルタ４０の開口４４がフィルタ収納室３１ｇの流路３１ｊと対向してこれらが連通されるようになっている（図３（ｂ）参照）。
【００１９】
なお、この実施の形態では、
（ｉ）フィルタ収納室３１ｇの内周面およびフィルタ４０の外周面に部分的な平面部３１ｍ、４５を形成する構成
（ｉｉ）筒状フィルタ４０の底部４２を傾斜面４６にするとともにフィルタ収納室３１ｇに傾斜状段部３１ｎを形成する構成
の両構成を採用したが、上記（ｉ）（ｉｉ）の構成はいずれか一方のみを採用してもよい。
【００２０】
図３に示すように、蓋５０は、その頭部に六角凹部５１が形成されているとともに、その外周には雄ネジ５２が形成されている。一方、フィルタ収納室３１ｇの上部内周面には、雌ネジ３１ｐが形成されている。
したがって、蓋５０は、フィルタ４０を上述したようにしてフィルタ収納室３１ｇ内に収納した後、その六角凹部５１に工具を係合させて上記両ネジ５２，３１ｐを螺合させることにより、フィルタ収納室３１ｇの開口３１ｈを簡単に塞ぐことができる。
この実施の形態では、図３（ａ）および図４（ｂ）に示すように、フィルタ収納室３１ｇの開口３１ｈの内周面に部分的な凹部３１ｑを設けてあり、蓋５０をフィルタ収納室３１ｇの開口３１ｈに装着した後、上記凹部３１ｑに工具を差し込んで蓋５０のネジ５２を潰すことにより、その後の蓋５０の回転を防止し、蓋５０のフィルタ収納室３１ｇからの離脱を防止してある。
【００２１】
以上のようなウォータジェット推進機によれば、次のような作用効果が得られる。
（ａ）内部にインペラ３２を回転自在に配置したステータ３１側壁３１ｅに取水口３１ｆを形成する筒状のフィルタ収納室３１ｇを設けるとともに、このフィルタ収納室３１ｇに筒状のフィルタ４０を収納してフィルタ収納室３１ｇの開口３１ｈを円形に成形し、円形の蓋５０でネジ止めまたは圧入により閉じた構成としてあるので、筒状のフィルタ収納室３１ｇに筒状のフィルタ４０を収納してフィルタ収納室３１ｇの開口３１ｈを円形の蓋５０でネジ止めまたは圧入により閉じるだけでフィルタ４０および蓋５０をステータ３１の側壁３１ｅに取り付けることができる。
すなわち、このウォータジェット推進機によれば、フィルタ４０および蓋５０の取付作業が従来に比べて著しく簡単になる。
（ｂ）フィルタ収納室３１ｇの周壁に対して流路３１ｊが一体的に形成されているとともに、筒状フィルタ４０の底部がこの筒状フィルタの軸線方向に対して傾斜した傾斜面４６で構成され、かつフィルタ収納室３１ｇには筒状フィルタ４０の傾斜面４６の縁部４７と当接してこれを受ける傾斜状段部３１ｎが形成され、さらに筒状フィルタ４０には、その傾斜面縁部４７と上記傾斜状段部３１ｎとを合致させるように当接させたときに上記流路３１ｊと連通する開口４４が形成されているので、さらに次のような作用効果が得られる。
すなわち、前述した従来のウォータジェット推進機では、フィルタ収納室からの流路が、蓋部材７と一体のパイプ部７ａで形成されていたので、この蓋部材７の取付方向を前後逆に取り付けると流路７ａの方向も前後逆になってしまう難点があった。このため、蓋部材７の取付に神経を使う必要があり、その取付作業が一層大変であった。
これに対し、この実施の形態のウォータジェット推進機によれば、フィルタ収納室３１ｇの周壁に対して流路３１ｊが一体的に形成されているので、従来技術のような問題が生じない。
そして、筒状フィルタ４０の底部がこの筒状フィルタの軸線方向に対して傾斜した傾斜面４６で構成され、かつフィルタ収納室３１ｇには筒状フィルタ４０の傾斜面４６の縁部４７と当接してこれを受ける傾斜状段部３１ｎが形成され、さらに筒状フィルタ４０には、その傾斜面縁部４７と上記傾斜状段部３１ｎとを合致させるように当接させたときに上記流路３１ｊと連通する開口４４が形成されているので、筒状フィルタ４０をフィルタ収納室３１ｇに入れ、筒状フィルタ４０の傾斜面４６の縁部４７をフィルタ収納室３１ｇの傾斜状段部３１ｎに当接（フィット）させると、自動的に、フィルタ収納室３１ｇの流路３１ｊとフィルタ４０の開口４４とが連通することとなる。
したがって、フィルタ４０および蓋５０の取付作業が一層簡単になる。
（ｃ）フィルタ収納室３１ｇの内周面および筒状フィルタ４０の外周面が部分的に平面状（３１ｍ、４５）に形成され、かつ筒状フィルタ４０には、その平面部４５とフィルタ収納室３１ｇの平面部３１ｍとを合致させたときに前記流路３１ｊと連通する開口４４が形成されているので、上記両平面部３１ｍ、４５を合致させるように筒状フィルタ４０をフィルタ収納室３１ｇに入れると、自動的に、フィルタ収納室３１ｇの流路３１ｊとフィルタ４０の開口４４とが連通することとなる。
したがって、フィルタ４０および蓋５０の取付作業が一層簡単になる。
【００２２】
以上、本発明の実施の形態および実施例について説明したが、本発明は上記の実施の形態または実施例に限定されるものではなく、本発明の要旨の範囲内において適宜変形実施可能である。
【００２３】
【図面の簡単な説明】
【図１】本発明に係るウォータジェット推進機の一実施の形態を用いた小型滑走艇の一例を示す一部切り欠き概略側面図。
【図２】同じく概略平面図。
【図３】ジェットポンプ３０を示す図で、（ａ）は部分側断面図、（ｂ）は図（ａ）におけるｂ−ｂ断面図。
【図４】ジェットポンプ３０のステータ３１を示す図で、（ａ）は正面図（船体前方から見た図）、（ｂ）は側面図、（ｃ）は図（ｂ）の平面図、（ｄ）は図（ｃ）におけるｄ−ｄ断面図。
【図５】フィルタを示す図で、（ａ）は側面図（船体側方から見た図）、（ｂ）は図（ａ）の平面図、（ｃ）は図（ａ）の側面図、（ｄ）は図（ａ）におけるｄ−ｄ断面図。
【図６】（ａ）（ｂ）（ｃ）は従来技術の説明図。
【符号の説明】
３０    ウォータジェット推進機
３１    ステータ
３１ｅ  側壁
３１ｆ  取水口
３１ｇ  フィルタ収納室
３１ｈ  開口
３１ｉ  周壁
３１ｊ  流路
３１ｎ  傾斜状段部
３１ｍ  平面部
３２    インペラ
４０    フィルタ
４６    底部
４４    開口
４５    平面部
４７    縁部
５０    蓋
【図１】
0003946020.tif 000002
【図２】
0003946020.tif 000003
【図３】
0003946020.tif 000004
【図４】
0003946020.tif 000005
【図５】
0003946020.tif 000006
【図６】
0003946020.tif 000007